(57)【要約】【課題】  テープ貼りの排除等により材料の使用量を最小限に抑え、省資源化を実現するとともに、見栄えのよい包装容器の提供。【解決手段】  上面が開口した包装用外箱１１と、透明な透視カバー１２とを備え、包装用外箱１１は、底板１３と、前側板１８、背側板１９、左側板２０及び右側板２１と、左側板２０及び右側板２１の上縁に折り目２２，２３を介して一体に形成された左頂板２４及び右頂板２５とを備えるとともに、前側板１８及び背側板１９の上縁に一定幅を有する前上縁板３１及び背上縁板３４を備え、透視カバー１２は、前側片６４及び背側片６５を前側縁及び背側縁に一体に有する平板状に形成され、透視カバー１２で包装用外箱１１の上面を覆い、左頂板２４及び右頂板２５で透視カバー１２の側部を押さえ込み、透視カバー１２を通して透視可能なように収容物Ａを包装用外箱内１１に収容する。【選択図】  図１
2005280774.tif 000002
【特許請求の範囲】
【請求項１】
上面が開口した包装用外箱と、該包装用外箱の上面を閉鎖する透明な透視カバーとを備え、前記透視カバーを通して透視可能なように収容物を前記包装用外箱内に収容する包装容器において、
前記包装用外箱は、平板状の底板と、該底板を囲む前側板、背側板、左側板及び右側板と、前記左側板及び右側板の上縁に折り目を介して一体に形成された左頂板及び右頂板とを備えるとともに、前記前側板及び背側板の上縁に一定幅を有する前上縁板及び背上縁板を備え、
前記透視カバーは、前記包装用外箱の前面又は背面に被さる前側片及び背側片をそれぞれ前側縁及び背側縁に一体に有する平板状に形成され、
前記透視カバーで前記包装用外箱の上面を覆い、前記左頂板及び右頂板の両側縁に形成された係止片を前記前側板及び背側板の上縁板に係止させ、前記左頂板及び右頂板で前記透視カバーの側部を押さえ込むようにしたことを特徴としてなる包装容器。
【請求項２】
包装用外箱は、その前縁及び背縁に、上縁板に切り込みを入れることにより外側板と連続したガイド片を備え、
透視カバーは、前側縁及び背側縁に切り込みを入れることにより、前記ガイド片が挿入されるガイド孔と、前側片又は背側片と連続し、前記ガイド片の外側に重なり合う引起し片とを備えた請求項１に記載の包装容器。
【請求項３】
透視カバーは、前側片及び背側片の付け根部分に、左頂板及び右頂板の両側縁に折り目を介して形成された係止片が逃げるための切れ目を形成した請求項１又は２に記載の包装容器。
【発明の詳細な説明】
【技術分野】
【０００１】
本発明は、主に巨峰等の果実などを梱包するための包装容器に関する。
【背景技術】
【０００２】
従来、巨峰等の果物の包装には、図１０に示すように、店頭における展示を考慮し、上面が開口し、その開口部に透明なプラスチック製カバー１を被せ、粘着テープ１ａで固定した包装用箱２を使用し、透明なプラスチック製カバー１を通して巨峰等の収容物を外部より見ることができるようにしている。
【０００３】
プラスチック製カバー１は、天板と、天板の四辺に折り目を介して一体に形成された前側板、背側板、左側板及び右側板とを備え、各側板を折り目より折り曲げ、前側板及び背側板の両側縁に一体に形成された糊しろを左側板及び右側板の両側縁に接着することにより下側が開口した箱型に形成されている。
【０００４】
そして、このプラスチック製カバー１を包装用箱２に被せ、前側板及び背側板を包装用箱２の前側板又は背側板に粘着テープ１ａで固定するようになっている。
【発明の開示】
【発明が解決しようとする課題】
【０００５】
しかし、上述の如き従来の技術では、プラスチック製カバーを構成する材料の使用量が多く、コストが嵩み、しかも、組立てが煩わしく手間がかかり、更に、包装用外箱の開口部に透明なプラスチック製カバーを被せ、粘着テープで固定しなければならず、作業に手間がかかり作業効率が悪いという問題があった。
【０００６】
また、環境問題を考慮し、プラスチック製カバーを構成する材料の量や、粘着テープなどの資源の使用量を極力減らし省資源化することが望まれている。
【０００７】
更に、上述の如きカバーの構造では、側板のいずれかに歪みが生じた際に、側板間が接合されているのでその歪みが他の側板にまで影響してプラスチック製カバー全体が歪み、見栄えが悪くなるという問題もあった。
【０００８】
そこで本発明は、上述の従来技術の問題を鑑み、透視カバーの構造を簡素化して作業の省力化を達成するとともに、テープ貼りの排除等により材料の使用量を最小限に抑え、省資源化を実現し、しかも見栄えのよい包装容器の提供を目的とする。
【課題を解決するための手段】
【０００９】
上述の如き従来の問題を解決し、所期の目的を達成するための請求項１に記載の発明は、上面が開口した包装用外箱と、該包装用外箱の上面を閉鎖する透明な透視カバーとを備え、前記透視カバーを通して透視可能なように収容物を前記包装用外箱内に収容する包装容器において、前記包装用外箱は、平板状の底板と、該底板を囲む前側板、背側板、左側板及び右側板と、前記左側板及び右側板の上縁に折り目を介して一体に形成された左頂板及び右頂板とを備えるとともに、前記前側板及び背側板の上縁に一定幅を有する前上縁板及び背上縁板を備え、前記透視カバーは、前記包装用外箱の前面又は背面に被さる前側片及び背側片をそれぞれ前側縁及び背側縁に一体に有する平板状に形成され、前記透視カバーで前記包装用外箱の上面を覆い、前記左頂板及び右頂板の両側縁に形成された係止片を前記前側板及び背側板の上縁板に係止させ、前記左頂板及び右頂板で前記透視カバーの側部を押さえ込むようにした包装容器であることを特徴とする。
【００１０】
請求項２に記載の発明は、請求項１の構成に加え、包装用外箱は、その前縁及び背縁に、上縁板に切り込みを入れることにより外側板と連続したガイド片を備え、透視カバーは、前側縁及び背側縁に切り込みを入れることにより、前記ガイド片が挿入されるガイド孔と、前側片又は背側片と連続し、前記ガイド片の外側に重なり合う引起し片とを備えたことを特徴とする。
【００１１】
請求項３に記載の発明は、請求項１又は２の構成に加え、透視カバーは、前側片及び背側片の付け根部分に、左頂板及び右頂板の両側縁に折り目を介して形成された係止片が逃げるための切れ目を形成したことを特徴とする。
【発明の効果】
【００１２】
本発明に係る包装容器は、前記透視カバーが、前記包装用外箱の前面又は背面に被さる前側片及び背側片を前側縁及び背側縁に一体に有する平板状に形成されたことによって、構造が簡素化されて組立作業等が省力化されるとともに、透視カバーを構成する材料の使用量が低減され、省資源化がなされ、更に、従来例の如く側板を有しないので歪みが少なく、見栄えがよい。
【００１３】
また、透視カバーで前記包装用外箱の上面を覆い、前記左頂板及び右頂板の両側縁に形成された係止片を前記前側板及び背側板の上縁板に係止させ、前記左頂板及び右頂板で前記透視カバーの側部を押さえ込むようにしたことによって、粘着テープの使用を制限し、省資源化がなされる。
【００１４】
包装用外箱が、その前縁及び背縁に、上縁板に切り込みを入れることにより外側板と連続したガイド片を備え、透視カバーが、前側縁及び背側縁に切り込みを入れることにより、前記ガイド片が挿入されるガイド孔と、前側片又は背側片と連続し、前記ガイド片の外側に重なり合う引起し片とを備えたことによって、前側片及び背側片の浮き上がりを抑え、見栄えがよくなる。
【００１５】
更に、透視カバーの前側片及び背側片の付け根部分に、左頂板及び右頂板の両側縁に折り目を介して形成された係止片が逃げるための切れ目を形成したことによって、透視カバーに邪魔されずに、係止片を上縁板に係止させることができる。
【発明を実施するための最良の形態】
【００１６】
次に、本発明に係る包装容器に関し図１〜図９について説明する。尚、説明上、図に記した方向をそれぞれ前背左右として説明する。
【００１７】
図１は、包装容器内に巨峰を収容した状態を示し、図中符号１０は包装容器、符号Ａは収容物たる巨峰、符号７２は包装容器の上面を覆う蓋板である。
【００１８】
包装容器１０は、図１に示すように、上面が開口した包装用外箱１１と、包装用外箱１１の上面を閉鎖する透明な透視カバー１２とを備え、巨峰等の収容物Ａが包装用外箱内１１に透視カバー１２を通して透視可能なように収容されるようになっている。
【００１９】
この包装用外箱１１は、図２に示すように、平板状の底板１３と、底板１３を囲むように前背左右の縁部にそれぞれ折り目１４〜１７を介して一体に形成された前側板１８、背側板１９、左側板２０及び右側板２１とを備えて上面が開口した箱型に形成され、段ボール紙やボール紙等からなる板状材を図３に示す展開図のように打ち抜き、それを折曲加工することにより形成されている。
【００２０】
また、この包装用外箱１１は、左側板２０及び右側板２１の底板１３とは反対側の縁部に折り目２２，２３を介して一体に形成された左頂板２４及び右頂板２５とを備え、前側板１８と左側板２０の各側辺部を連結する前左側板間連結板２６と、前側板１８と右側板２１の各側辺部を連結する前右側板間連結板２７と、背側板１９と左側板２０の各側辺部を連結する背左側板間連結板２８と、背側板１９と右側板２１の各側辺部を連結する背右側板間連結板２９とを備えている。
【００２１】
前側板１８は、折り目１４を介して底板１３と連続した前外側板３０と、その折り目１４とは反対側の縁部に前上縁板３１を介して一体に形成された前内側板３２とをもって構成され、前上縁板３１の両縁部を折り目として折り曲げることにより、前内側板３２を前外側板３０に重ね合わせ、前内側板３２を前外側板３０の内側面に接着剤により固着させている。
【００２２】
背側板１９は、長方形状に形成され、底板１３と折り目１５を介して連続した背外側板３３と、その折り目１５とは反対側の縁部に背上縁板３４を介して一体に形成された背内側板３５とをもって構成され、背上縁板３４の両縁部を折り目として折り曲げて背内側板３５を背外側板３３の内側面に重ね合わせ、背内側板３５を背外側板３３の内側面に接着剤により固着させている。
【００２３】
また、前内側板３２及び背内側板３５には、その側縁基端側より先端縁側に斜めに向けた折り目３６を形成して該折り目３６より折り畳まれる逃がし片部３７，３７を備えている。
【００２４】
逃がし片部３７の外側板とは反対側の縁部には、底板１３の前側縁又は背側縁に形成された係止孔３８に係止される下側係止突起３９が形成され、逃がし片部３７の側縁、即ち前内側板３２，背内側板３５の両側縁には、左側板２０及び右側板２１の内縁に形成された係止用くぼみ７１に係止される側縁係止突起４０，４０が形成されている。
【００２５】
また、逃がし片部３７の中央部分には、箱を解体する際に、逃がし片部３７が容易に引き起こせるように、指穴４１が設けられている。
【００２６】
前内側板３２及び背内側板３５には、上縁板３１，３４とは反対側の縁部に係止片回避用切欠４２が形成されている。
【００２７】
前上縁板３１及び背上縁板３４は、一定幅を有する細長板状に形成され、前側板１８又は背側板１９の上縁を構成している。
【００２８】
この前上縁板３１及び背上縁板３４の左右両側部には、左頂板２４，右頂板２５の側縁に形成された鉤状の係止片４３が挿入される係止孔４４が外側板側の折り目の内側に円弧状に切り込みを入れることにより形成され、外側板３０，３３に対し、上縁板３１，３４を折り曲げた際に直角に配置することにより、係止孔４４が形成されるとともに、外側板３０，３３に連続した導入片４５が上縁より突出するようになっている。
【００２９】
従って、係止片４３は、係止孔４４に挿入される際に、導入片４５の内側面に沿って容易に挿入することができるようになっている。
【００３０】
また、この前上縁板３１及び背上縁板３４の中央部には、外側板側の折り目の内側に円弧状の切り込みを入れることにより係止孔７３及びガイド片４６が形成され、ガイド片４６は、外側板３０，３３に対し、上縁板３１，３４を折り曲げた際に直角に配置することにより、包装用外箱１１の前縁及び背縁に、外側板３０，３３と連続して突出するようになっている。
【００３１】
左側板２０は、底板１３と折り目１６を介して連続して形成され、底板１３とは反対側の縁部に折り目２２を介して左頂板２４が連続して形成されている。
【００３２】
右側板２１は、底板１３と折り目１７を介して連続して形成され、底板１３とは反対側の縁部に折り目２３を介して右頂板２５が連続して形成されている。
【００３３】
左頂板２４及び右頂板２５には、その両側辺端部に折り目を介して係止片４３，４３が一体に形成されており、この係止片４３が前側板１８及び背側板１９の上縁、即ち前上縁板３１及び背上縁板３４上に形成された係止孔４４，４４に挿入されて係止されることによって、左頂板２４及び右頂板２５がそれぞれ包装用外箱１１の上面端部で前側板１８と背側板１９との間に掛け渡されて固定される。
【００３４】
前左側板間連結板２６、前右側板間連結板２７、背左側板間連結板２８及び背右側板間連結板２９は、それぞれ折り目４７により隔てられた固定部４８と可動部４９とから構成されている。
【００３５】
前左側板間連結板２６、前右側板間連結板２７、背左側板間連結板２８及び背右側板間連結板２９は、固定部４８が接着剤をもって前外側板３０及び背外側板３３の内面に接着され、組み立てられた際に、各連結板２６，２７，２８，２９の固定部４８と可動部４９とが重なり合った部分の一部が内側板３２，３５により押さえられるようになっている。
【００３６】
この包装用外箱１１を組み立てるには、まず、図４（ａ）〜（ｂ）に示すように、折り目１６に沿って左側板２０を内側、即ち底板側に折り曲げ、左側板２０と連続した左頂板２４とともに底板１３に重ねて折り畳む。そして、そのとき一緒に折られる各連結板２６，２８の固定部４８を前外側板３０及び背外側板３３の重なり合った部分に接着剤等によって貼着させる。
【００３７】
同様に、図４（ｂ）〜（ｃ）に示すように、折り目１７に沿って右側板２１を内側、即ち底板側に折り曲げ、右側板２１と連続した右頂板２５とともに底板１３に重ねて折り畳む。そして、そのとき一緒に折られる各連結板２７，２９の固定部４８を前外側板３０及び背外側板３３の重なり合った部分に接着剤等によって貼着させる。
【００３８】
このように各連結板２６，２７，２８，２９の固定部４８を前外側板３０及び背外側板３３の重なり合った部分に貼着させたことにより、前側板１８及び背側板１９を立ち上げると貼着された連結板２６，２７，２８，２９に連動して左側板２０及び右側板２１も立ち上がるようになっている。
【００３９】
そして、図４（ｃ）〜（ｄ）に示すように、前内側板３２を前上縁板３１の両縁を折り目として折り曲げ、前外側板３０に重ね合わせ、重なり合った前内側板３２を前外側板３０の内側面に貼着させ、背内側板３５を同様に背上縁板３４の両縁部を折り目として折り、背外側板３３に重ね合わせ、重なり合った背内側板３５を背外側板３３の内側面に貼着させる。
【００４０】
このとき、導入片４５及びガイド片４６が、外側板３０，３３と連続して突出するとともに、係止孔４４，７３が前側板１８及び背側板１９の上縁に形成される。
【００４１】
また、前内側板３２及び背内側板３５に形成された係止片回避用切欠４２により、左頂板２４及び右頂板２５の側縁に形成された係止片４３，４３は、内側板３２，３５により押さえ込まれないようになっている。
【００４２】
これで一次組立が終了し、組立中間部材５０が形成され、この状態で、運搬や保管等を行えば、平板状であるので重ねても嵩張らず効率がよい。
【００４３】
次に、この組立中間部材５０を図５（ｅ）〜（ｆ）に示すように、前側板１８及び背側板１９を立ち上げると、各連結板２６，２７，２８，２９が連動して、左側板２０及び右側板２１も立ち上がる。このとき逃がし片部３７を立ち上げることにより、連結板２６，２７，２８，２９が前内側板３２及び背内側板３５に邪魔されずに好適に作動する。
【００４４】
そして、図５（ｆ）〜（ｇ）に示すように、前側板１８、背側板１９、左側板２０及び右側板２１を底板１３に対して立ち上げ、逃がし片部３７，３７を元に戻して、前内側板３２及び背内側板３５の両側縁に形成された下側係止突起３９を係止孔３８に係合させるとともに側縁係止突起４０を左側板２０又は右側板２１の係止用くぼみ７１に係止させ、連結板２６，２７，２８，２９の固定部４８と可動部４９とが重なり合った部分を、前外側板３０と前内側板３２の逃がし片部３７との間、或いは背外側板３３と背内側板３５の逃がし片部３７との間で挟持する。
【００４５】
図５（ｇ）〜（ｈ）に示すように、左頂板２４及び右頂板２５を折り目２２，２３より内側へ折り曲げ、両側縁の係止片４３を係止孔４４に挿入して係合させることにより、包装用外箱１１が形成される。
【００４６】
透視カバー１２は、図６、図７に示すように、透明なプラスチックシート材を打ち抜き、それを折曲加工することにより形成されている。
【００４７】
この透視カバー１２は、包装用外箱１１の上面と略同じ形状の平板状に形成され、その表面には、複数の通気孔６０，６０…が形成され、その前縁両側部及び背縁両側部、即ち包装用外箱１１の係止孔４４の位置に重なる部分に、係止孔４４の形状に合わせて切欠部６１，６１…が形成されている。
【００４８】
また、透視カバー１２の前縁及び背縁には、それぞれ折り目６２，６３を介して前側片６４及び背側片６５が一体に形成され、その付け根部の両側部に係止片４３より逃げるための切れ目６６が形成されている。
【００４９】
また、透視カバー１２には、折り目の内側に円弧状に切り込みを入れることにより、前側片６４及び背側片６５を折り曲げた際に直角に配置することによりガイド孔６７が形成されるとともに、前側片６４及び背側片６５に連続した引起し片６８が上縁より突出するようになっている。
【００５０】
この透視カバー１２を包装用外箱１１の上面に被せた際、図８に示すように、包装用外箱１１の上面より突出したガイド片４６が透視カバー１２のガイド孔６７に挿入されて位置決めがされるとともに、ガイド片４６の外側に引起し片６８が重なり合うことによって、引起し片６８と連続した前側片６４又は背側片６５が包装用外箱１１の前面又は背面に押し付けられ、粘着テープ等で貼り付けずとも浮き上がり難くなっている。
【００５１】
この包装容器１０を使用して収容物たる巨峰Ａを梱包するには、まず、図９（ａ）に示すように、左頂板２４及び右頂板２５を立ち上げた状態に組み立て、図９（ｂ）に示すように、その状態で底部に緩衝材７０を敷き、その上に収容物たる巨峰Ａを戴置する。
【００５２】
次に、図９（ｃ）に示すように、透視カバー１２を包装用外箱１１の上面に被せる。その際、包装用外箱１１の前縁及び背縁に形成されたガイド片４６，４６が透視カバー１２のガイド孔６７，６７に挿入され、位置決めがなされるとともに、ガイド片４６の外側に引起し片６８が重なり合うことによって、引起し片６８と連続した前側片６４又は背側片６５が包装用外箱１１の前面又は背面に押し付けられる。
【００５３】
そして、その状態で左頂板２４及び右頂板２５を折り目２２，２３で折り曲げるとともに、係止片４３，４３を前側板１８及び背側板１９の上縁、即ち上縁板３１，３４に形成された係止孔４４，４４に挿入して係止させ、左頂板２４及び右頂板２５で透視カバー１２の側部を押さえ込み、包装用外箱１１に対し透視カバー１２を保持させる。
【００５４】
これにより、図９（ｄ）に示すように、収容物Ａが透視カバー１２を通して透視可能なように包装用外箱１１内に収容される。
【００５５】
そして、この包装容器１０は、運搬等、必要な時に応じて蓋板７２により上面を覆い、蓋することができるようになっている。
【００５６】
蓋板７２は、平板状に形成され、その側縁に折り目を介して挿入片７４，７４が一体に形成されている。
【００５７】
この蓋板７２は、側縁より折り曲げられた挿入片７４を透視カバー１２のガイド孔６７を通して、包装用外箱１１の前側板１８及び背側板１９の上縁部、即ち前上縁板３１及び背上縁板３４に形成された係止孔７３に挿入することによって取り付けられるようになっており、挿入片７４をガイド片４６にガイドさせて素早く簡単に係止孔７３に挿入できるようになっている。
【産業上の利用可能性】
【００５８】
本発明は、巨峰やさくらんぼう等の高級果物の他、菓子やその他の展示を行う収容物の包装にも適用することができる。
【図面の簡単な説明】
【００５９】
【図１】本発明に係る包装容器の実施の一例を示す斜視図である。
【図２】図１中の包装用外箱を示す斜視図である。
【図３】同上の包装用外箱の展開図である。
【図４】同上の包装用外箱の組立中間部材までの組立工程を示す斜視図である。
【図５】同上の包装用外箱の製箱工程を示す斜視図である。
【図６】図１中の透視カバーを示す斜視図である。
【図７】同上の透視カバーの展開図である。
【図８】包装容器の前側部（背側部）を示す部分破断斜視図である。
【図９】本発明に係る包装容器を使用した包装工程の状態を示す斜視図である。
【図１０】従来の包装容器を示す斜視図である。
【符号の説明】
【００６０】
Ａ  収容物（巨峰）
１０  包装容器
１１  包装用外箱
１２  透視カバー
１３  底板
１４〜１７  折り目
１８  前側板
１９  背側板
２０  左側板
２１  右側板
２２，２３  折り目
２４  左頂板
２５  右頂板
２６  前左側板間連結板
２７  前右側板間連結板
２８  背左側板間連結板
２９  背右側板間連結板
３０  前外側板
３１  前上縁板
３２  前内側板
３３  背外側板
３４  背上縁板
３５  背内側板
３６  折り目
３７  逃がし片部
３８  係止孔
３９  下側係止突起
４０  側縁係止突起
４１  指穴
４２  係止片回避用切欠
４３  係止片
４４  係止孔
４５  導入片
４６  ガイド片
４７  折り目
４８  固定部
４９  可動部
５０  組立中間部材
６０  通気孔
６１  切欠部
６２，６３  折り目
６４  前側片
６５  背側片
６６  切れ目
６７  ガイド孔
６８  引起し片
７０  緩衝材
７１  係止用くぼみ
７２  蓋板
７３  係止孔
７４  挿入片
【図１】
2005280774.tif 000003
【図２】
2005280774.tif 000004
【図３】
2005280774.tif 000005
【図４】
2005280774.tif 000006
【図５】
2005280774.tif 000007
【図６】
2005280774.tif 000008
【図７】
2005280774.tif 000009
【図８】
2005280774.tif 000010
【図９】
2005280774.tif 000011
【図１０】
2005280774.tif 000012